(57)【特許請求の範囲】
【請求項１】
一対の側面の長手方向に延在する断面凹状の案内用溝と、該案内用溝と直交する位置決め用溝とを有するカートリッジを収納するためのカートリッジ収納ケースであって、
プラスチックを抜き及び筋押し又は溶融加工し、前記カートリッジを出し入れするための開口面を有するように製函又は成形するとともに、前記カートリッジの収納時に前記カートリッジの前記案内用溝と前記位置決め用溝との交差部と係合する凸部を内面に突設し、前記凸部の底幅を前記カートリッジの前記案内用溝の幅より長く形成し、前記凸部の上端幅を前記カートリッジの前記案内用溝の幅より短く形成し、かつ前記凸部に前記カートリッジの前記案内用溝と前記位置決め用溝との交差部の角と当接する傾斜面を設けたことを特徴とするカートリッジ収納ケース。
【請求項２】
請求項１に記載のカートリッジ収納ケースにおいて、前記凸部の上端部を球面状としたことを特徴とするカートリッジ収納ケース。
【発明の詳細な説明】
【０００１】
【発明の属する技術分野】
本発明は、テープ状媒体、ディスク状媒体等の磁気記録媒体や光記録媒体等を内蔵したカートリッジを収納するカートリッジ収納ケースに関するものである。
【０００２】
【従来の技術】
従来より、フロッピィディスク（ＦＤ）等のような情報記録媒体を内蔵したカートリッジを収納するケースとしては、例えば実公平３−３５１３号公報に開示されたものが知られている。図６は、従来のこの種のカートリッジ収納ケースの一例を示す斜視図であり、図７は、収納時の嵌合時の要部を示す拡大断面図である。
【０００３】
図６において、カートリッジ２０は、情報記録媒体を内蔵したものであり、略直方体状をなしている。また、収納ケース１０は、その内寸がカートリッジ２０の外寸より若干大きく形成された略直方体状であって、図中、天面側がカートリッジ２０を出し入れする開口面となっている。収納ケース１０は、プラスチックシートを製函加工することにより形成されている。
【０００４】
収納ケース１０の一対向面（図中、左右両面）の内側であって底面寄りには、内側に突出する凸部１１が形成されている。凸部１１は、収納ケース１０の形成時にプラスチックシートを筋押しすること等により形成されている。
一方、収納ケース１０の凸部１１に対応するカートリッジ２０の左右両面には、略円形状の凹部２１が形成されている。カートリッジ２０が収納ケース１０に収納されると、図７に示すように凸部１１と凹部２１とが嵌合し、カートリッジ２０が収納ケース１０内に保持される。
【０００５】
【発明が解決しようとする課題】
しかし、前述の従来の収納ケース１０において、カートリッジ２０の種類によっては、カートリッジ２０の側面の長手方向に凹部が延在しているものがある。このようなカートリッジ２０を収納すると、たとえ凸部１１とその凹部とを係合させても、カートリッジ２０を保持できず、カートリッジ２０が収納ケース１０外に脱落してしまうという問題があった。
【０００６】
また、図７のように、収納ケース１０の凸部１１がカートリッジ２０の凹部２１に入り込んだ場合であっても凸部１１と凹部２１との間には隙間Ｓが生じているので、カートリッジ２０が収納ケース１０内でがたつくという問題があった。
さらにまた、カートリッジ２０側の凹部２１が小さい場合には、収納ケース１０側の凸部１１もそれに対応させて小さくする必要があるが、この場合には収納ケース１０の形成型の凸部１１用のピンの径も小さくなり、プレス加工時に圧力が加わると、ピンが曲がってしまい、凸部１１の形状や位置がばらついてしまう場合があるという問題があった。
【０００７】
したがって、本発明が解決しようとする課題は、側面の長手方向に延在する凹部（溝）を有するカートリッジを、出し入れ操作がしやすく、かつ開口部を下に向けても落下しないように保持できるカートリッジ収納ケースを提供することである。
【０００８】
【課題を解決するための手段】
上述の課題を解決するために、請求項１の発明は、一対の側面の長手方向に延在する断面凹状の案内用溝と、該案内用溝と直交する位置決め用溝とを有するカートリッジを収納するためのカートリッジ収納ケースであって、プラスチックを抜き及び筋押し又は溶融加工し、前記カートリッジを出し入れするための開口面を有するように製函又は成形するとともに、前記カートリッジの収納時に前記カートリッジの前記案内用溝と前記位置決め用溝との交差部と係合する凸部を内面に突設し、前記凸部の底幅を前記カートリッジの前記案内用溝の幅より長く形成し、前記凸部の上端幅を前記カートリッジの前記案内用溝の幅より短く形成し、かつ前記凸部に前記カートリッジの前記案内用溝と前記位置決め用溝との交差部の角と当接する傾斜面を設けたことを特徴とする。
【０００９】
請求項２の発明は、請求項１に記載のカートリッジ収納ケースにおいて、前記凸部の上端部を球面状としたことを特徴とする。
【００１０】
【作用】
本発明においては、カートリッジが収納ケース内に収納されると、カートリッジの案内用溝と位置決め用溝との交差部と収納ケースの凸部とが係合する。また、凸部の一部がカートリッジの案内用溝と位置決め用溝との交差部内に入り込み、凸部と交差部とが当接する。
したがって、カートリッジが収納ケース内でガタツキなく保持され、不慮の落下のおそれもなく、かつカートリッジの出し入れを容易にすることができる。
【００１１】
【発明の実施の形態】
以下、図面等を参照して、本発明の一実施形態について説明する。
図１は、本発明によるカートリッジ収納ケースの第１実施形態を示す外観斜視図である。また、図２及び図３は、図１のカートリッジ収納ケースのカートリッジとの係合の要部を示す図であり、図２は平面図、図３は断面図である。
【００１２】
図１において、カートリッジ４０は、ＤＶＤ−ＲＡＭを例に挙げており、略直方体状に形成されている。
カートリッジ４０の図中、左右両側面には、その長手方向に延在する断面凹状の案内用溝４１と、この案内用溝４１と直交する位置決め用溝４２とが設けられ、両者により交差部４３が形成されている。案内用溝４１は、カートリッジ４０の天面までは延在されていないが、底面（シャッター取り付け側）まで延在されており、記録再生装置内に挿入されるときに案内用として使用されるものである。また、位置決め用溝４２は、記録再生装置内でカートリッジ４０を位置決めするためのものである。
【００１３】
収納ケース３０は、その内寸がカートリッジ４０の外寸より若干大きく形成された略直方体状であって、図１中、天面側が開口され、カートリッジ４０の出し入れ面となっている。収納ケース３０は、例えば厚みが０．５ｍｍ程度のポリプロピレン等のプラスチックシートに意匠用の印刷等を施した後、抜き、筋押し等の製函加工をすることにより形成されている。
【００１４】
収納ケース３０の図中、左右両面の内側であって底面寄りには、内側に突出する凸部３１が形成されている。凸部３１は、円錐（多角錐であっても良い）の頂角部を略平坦に切り落とした円錐台状（断面略台形状）に形成されている。凸部３１は、収納ケース３０の基材であるプラスチックシートを、プレス加工で筋押しすること等で形成されている。
ここで、凸部３１は、図３等に示すように、カートリッジ４０の案内用溝４１に対して大きいので、従来より大きいものとすることができる。これにより、収納ケース３０の形成用型に設ける凸部３１用のピンを太くし、強度を高めることができる。
【００１５】
凸部３１の加工時の圧力付与方向は、収納ケース３０の基体となるプラスチックシートの抜きや筋押し方向と同一であるため、凸部３１の加工と抜き加工等とを同時に行うことができる。
凸部３１の形成方法としては、抜き型又は筋押し型に凸部３１用のピンを立設し、相手側の受け板（平板）に凸部３１の逃げとなる孔を設ければ良い。
【００１６】
カートリッジ４０が収納ケース３０に収納されると、最初に凸部３１の傾斜面３１ａが案内用溝４１の稜部４１ａと当接する。ここで、図３に示すように、凸部３１の底幅Ｌ３はカートリッジ４０の案内用溝４１の幅Ｌ１より長く、かつ凸部３１の上端幅Ｌ２は案内用溝４１の幅Ｌ１より短く形成されている。これにより、凸部３１の上側の一部が案内用溝４１内に入り込む。凸部３１の案内用溝４１内に入り込む高さＬ４としては、０．５ｍｍ以下であることが好ましい。
そして、カートリッジ４０が収納ケース３０内の奥まで挿入されると、図２に示すように、凸部３１は、案内用溝４１と位置決め用溝４２との交差部４３の略中央部に位置し、交差部４３と係合する。このときには、凸部３１の傾斜面３１ａが交差部４３の４つの角４３ａと当接する。
【００１７】
以上により、カートリッジ４０が収納ケース３０内でガタツキなく保持され、不慮の落下のおそれもない。
また、カートリッジ４０の収納時及び取り出し時には、収納ケース３０の凸部３１が設けられた面側が弾性的にたわみ、凸部３１と交差部４３との係合が解除される。
なお、図３に示すように、凸部３１の天面と側面との稜部にはＲ面取りを設けていないが、このＲ面取りを大きくすると柔らかな収納感が得られ、Ｒ面取りを小さくすると剛性のある収納感が得られる。
【００１８】
図４は、本発明の第２実施形態の収納ケース３０Ａの凸部３１Ａを示す断面図である。この凸部３１Ａは、第１実施形態のものと比較して、より緩やかな傾斜面３１ａを設けたものである。この場合には、第１実施形態よりも柔らかな収納感が得られる。また、係合できる案内用溝４１の幅の範囲が広くなる。
さらにまた、図５は、本発明の第３実施形態の収納ケース３０Ｂの凸部３１Ｂを示す断面図である。この凸部３１Ｂの先端部は、球面状をなしたものである。なお、以上の第２及び第３実施形態においても、凸部３１Ａ、３１Ｂの底幅は、案内用溝４１の幅より長く、上端幅は、案内用溝４１の幅より短く形成されている。
【００１９】
以上、本発明の一実施形態について説明したが、本発明は、上述した実施形態に限定されることなく、種々の変形が可能である。
例えば、収納ケース３０等の材質としてはポリプロピレンのシートを例に挙げたが、ポリエチレンやポリエステルを用いることも可能である。ただし、筋押し加工等の観点からは、ポリプロピレンが最も好ましい。
また、本発明は、シート状体から形成することに限らず、プラスチックを溶融加工して成形した射出成形容器のような硬質容器であっても良く、凸部３１等又は凸部３１等が固定される部分に適宜の弾性を持たせることで、同様の効果を得ることが可能である。
【００２０】
【発明の効果】
本発明によれば、一対の側面に延在する断面凹状の案内用溝と位置決め用溝とを有するカートリッジを、案内用溝と位置決め用溝との交差部を利用してカートリッジ収納ケース内でガタツキなく保持することができ、不慮の落下のおそれを防止し、カートリッジの出し入れを容易にすることができる。
また、カートリッジ収納ケースの製造用の型に設ける凸部用のピンの強度を高めることができる。
【図面の簡単な説明】
【図１】本発明のカートリッジ収納ケースの第１実施形態を示す外観斜視図である。
【図２】図１のカートリッジ収納ケースのカートリッジとの係合の要部を示す平面図である。
【図３】図１のカートリッジ収納ケースのカートリッジとの係合の要部を示す断面図である。
【図４】本発明の第２実施形態の収納ケースの凸部を示す断面図である。
【図５】本発明の第３実施形態の収納ケースの凸部を示す断面図である。
【図６】従来のカートリッジ収納ケースの一例を示す斜視図である。
【図７】図６のカートリッジ収納ケースの嵌合時の要部を示す断面図である。
【符号の説明】
３０、３０Ａ、３０Ｂ  収納ケース（カートリッジ収納ケース）
３１、３１Ａ、３１Ｂ  凸部
３１ａ  傾斜面
４０  カートリッジ
４１  案内用溝
４１ａ  稜部
４２  位置決め用溝
４３  交差部
４３ａ  角
Ｌ１  案内用溝の幅
Ｌ２  凸部の上端幅
Ｌ３  凸部の底幅
【図１】
0003971841.tif 000002
【図２】
0003971841.tif 000003
【図３】
0003971841.tif 000004
【図４】
0003971841.tif 000005
【図５】
0003971841.tif 000006
【図６】
0003971841.tif 000007
【図７】
0003971841.tif 000008